(57)【特許請求の範囲】
【請求項１】
大台紙の舌状係止片に商品収納ケースのヘッダー部を係着するための係止機構において、
前記ヘッダー部は、前記商品収納ケースの上端に連設され、折曲線で二つ折りされる板状台紙で成り、且つ、二つ折りされた板状台紙の幅方向の略中央を欠切して前記舌状係止片が挿入される挿入口とすると共に、当該挿入口に対応する前記折曲線上の部位に切り込みを設けて前記舌状係止片の先端部分が引き出される挿通口とすることを特徴とする大台紙を用いた商品収納ケースの係止機構。
【請求項２】
前記挿通口を形成するための切り込みは、基端部を前記折曲線に合致させた山状とすることを特徴とする請求項１に記載の大台紙を用いた商品収納ケースの係止機構。
【請求項３】
前記挿入口が、二つ折りされた前記板状台紙の裏側に当たる台紙部分に形成されていることを特徴とする請求項１または請求項２の何れかに記載の大台紙を用いた商品収納ケースの係止機構。
【請求項４】
前記舌状係止片の側部に、前記挿通口の縁部に係合する括れを設けたことを特徴とする請求項１から請求項３までの何れかに記載の大台紙を用いた商品収納ケースの係止機構。
【発明の詳細な説明】
【０００１】
【発明の属する技術分野】
本発明は、店頭等において、パッケージされた商品を吊り下げて陳列するのに好適な大台紙を用いた商品収納ケースの係止機構に関するものである。
【０００２】
【従来の技術】
従来より、小物商品を収納したケース（例えば、袋詰め、紙箱詰め、ブリスタ包装品等）を店内の陳列棚や壁面等に吊り下げておく手段として、図５および図６に示す係止機構が公知である。
【０００３】
図５は収納ケース側の係止機構を示しており、商品収納ケース１０の開口部１０ａに横長の吊下穴３を設けたヘッダー部２を連設したものである。一方、図６は引っ掛け側の機構を示しており、図６（ａ）は、大台紙２０に逆Ｕ字状の切り込みを設けて舌状係止片２１とした例である。吊り下げは、この舌状係止片２１の先端を大台紙２０から遊離させて立ち上げ、そこにヘッダー部２の吊下孔３を差し込む。また、図６（ｂ）は、フック３０を用いて壁面３１に吊り下げる例で、吊下孔３の膨出部３ａを引っ掛け孔として利用したものである。
【０００４】
【発明が解決しようとする課題】
しかしながら、上記係止機構は、何れもヘッダー２の吊下孔３に大台紙２０の舌状係止片２１やフック３０を挿入・係止した状態で商品収納ケース１０が横振れを起こして安定せず、特に図６（ａ）の場合では、大台紙２０に商品収納ケース１０を取り付けた状態で流通することが多く、運送の際の振動等で多数整列させた商品収納ケース１０の配列が見苦しく乱れたり、大台紙２０から不用意に抜け落ちてしまうといった不都合が生じたり、横振れによる吊下孔３と舌状係止片２１との位置ズレで舌状係止片２１に損傷を生じる等の問題を有していた。
このような理由から、一旦、大台紙２０に係止した商品収納ケース１０を改めて両面テープ、接着剤、ハトメ等で大台紙２０に固定するといった面倒な対策を講じる必要もあった。
【０００５】
加えて、このような対策を施すことにより、商品収納ケース１０を大台紙２０から取り外す際に大台紙２０を損傷させてしまい、再利用できなくなるといった弊害も生じた。
【０００６】
本発明は、このような係止機構の不都合に鑑みて成されたもので、運送時の振動等で揺れ動かず、しっかりと固定できる大台紙を用いた商品収納ケースの係止機構を提供することを目的としている。
【０００７】
【課題を解決するための手段】
すなわち、請求項１に記載の本発明は、大台紙の舌状係止片に商品収納ケースのヘッダー部を係着するための係止機構において、前記ヘッダー部は、前記商品収納ケースの上端に連設され、折曲線で二つ折りされる板状台紙で成り、且つ、二つ折りされた板状台紙の幅方向の略中央を欠切して前記舌状係止片が挿入される挿入口とすると共に、当該挿入口に対応する前記折曲線上の部位に切り込みを設けて前記舌状係止片の先端部分が引き出される挿通口とした。
本構成では、大台紙の舌状係止片を二つ折りされた板状台紙の挿入口より挿通口側に引き出すことにより、舌状係止片は板状台紙の間で表裏より挟持された状態となり、よって、従来のように、両面テープや接着剤等を用いることなく、商品収納ケースをしっかりと大台紙に固定することができる。これにより、振動等による商品収納ケースの横ぶれを防止して常に整然とした陳列状態を保持することができると共に、既述した横ぶれによる舌状係止片の損傷も防止することができる。
【０００８】
また、請求項２に記載の本発明は、前記挿通口を形成するための切り込みは、基端部を前記折曲線に合致させた山状とした。
板状台紙を二つ折りにすると、この山状の切り込みが挿通口の後縁部に支持片を形成し、挿入された舌状係止片を背後より支える構造となる。これにより、商品収納ケースは、より確実に固定されるようになる。
【０００９】
また、請求項３に記載の本発明は、前記挿入口は、二つ折りされた前記板状台紙の裏側に当たる台紙部分に形成した。
【００１０】
また、請求項４に記載の本発明は、前記舌状係止片の側部に、前記挿通口に係合する括れを設けた。
上記構成では、大台紙の舌状係止片に商品収納ケースを吊り下げた時、舌状係止片の括れ部分が挿通口の両端縁に係合し、振動等による商品収納ケースの配列の乱れや外れ等が防止される。
【００１１】
【発明の実施の形態】
以下、図１〜図４に基づいて本発明の一実施形態を説明する。
図１は本発明に係る商品収納ケースの斜視図、図２は同、商品収納ケースの展開図、図３は同、商品収納ケースを大台紙に吊り下げる時の状態を示す斜視図、図４は同、商品収納ケースを大台紙に吊り下げた時の状態を示す縦断面図である。尚、説明を簡略化するため、以下の説明において従来と共通する部分については同一の符号を用いた。
【００１２】
図１に示すように、本実施形態の商品収納ケース１０は、箱状のケース本体１とその上端部に延設された二つ折りの板状台紙で成るヘッダー部２で構成される。このヘッダー部２は、幅方向の略中央部に大台紙２０（物品陳列用台紙）の舌状係止片２１が差し込まれる挿入口３を有し、折り曲げ箇所（ヘッダー部頂部）に前記舌状係止片２１が突出する挿通口４を有する。
【００１３】
図２に示すブランク台紙（本図は外側の面を示す）によれば、図中、破線で示す各々縦折曲線を介して糊代（側板）１ａ、背板１ｂ、側板１ｃ、前板１ｄ、糊代（側板）１ｅが順に連設されていると共に、前板１ｄの上端および下端には、図中破線で示す横折線を介して上蓋板１ｈと下蓋１ｆが連設されている。
【００１４】
また、前記背板１ｂの上端に、図中、破線で示す横折曲線を介してヘッダー部２となる板状台紙２ａが一体的に連設されている。そして、この板状台紙２ａの中程より少々上方には幅方向に折曲線５が設けられており、この折曲線上の略中央部に下端部をこの折曲線５に合致させた山状の切り込みＡが設けられている。
また、この切り込みＡを境線とする対向位置に中央部分に膨出部３ａを有する横長円盤状の孔部３、３（即ち、挿入口３）が、例えば、打ち抜き加工等により欠設されている。
【００１５】
係る構造の板状台紙２ａを折曲線５に沿って山折りにすると、図１に示すように、この孔部３、３同士が重なり合って中央部に挿入口３を有する台紙二つ折り構造のヘッダー部２が形成され、且つ、切り込みＡが挿通口４を形成する。
【００１６】
上記構成のブランク台紙を組み立てるには、先ず、板状台紙２ａを、その折曲線５で山折りにする。これにより、折り曲げ部分（即ち、ヘッダー部２の頂部）に既述した挿通口４が形成される。切り込みＡは山状であるから、台紙を折り曲げることによって挿通口４の後縁部に図３に示すような支持片６が突設される。
【００１７】
次いで、ブランク台紙の各々縦折線を山折りして糊代１ａと糊代１ｅを重ね合わせて接着し、全体形状を角筒状に形成した後、この角筒体の上下開口部に上蓋板１ｈおよび下蓋板１ｆを折り曲げることによって、箱状の商品収納ケース１０を構成・組立ることができる。
尚、板状台紙２ａを二つ折りすると、その先端部分は幾分角筒体の内部に入り込むように前記折曲線５の形成位置が設定されており、箱内に入り込んだ台紙部分は、上蓋板１ｈの折り曲げの際に舌片１ｇにて背板１ｂ側に押さえ込まれる。
【００１８】
次に、図３および図４に基づいて上記要領で組み立てされた商品収納ケース１０を大台紙２０に取り付ける方法を説明する。
【００１９】
大台紙２０は、ある程度の硬度を有し、且つ、若干の可撓性を有する厚めの板紙を用いて長方形に形成されており、図３に示すように、この大台紙２０に所定の間隔を持って逆Ｕ字状の切り込みＢによる舌状係止片２１が複数配列されている。また、従来品と相違し、各々舌状係止片２１の両側部には括れ２２が形成されている。
尚、図示しないが、この大台紙２０の長さ方向の一端部に一対の貫通孔が設けてあり、この貫通孔に大台紙２０を吊り下げるための吊り紐が取り付けられている。
【００２０】
商品収納ケース１０の取り付けに当たっては、先ず、図３に示すように、大台紙２０に設けた舌状係止片２１の先端を大台紙２０から遊離させて立ち上げる。そして、図４に示すように、二つ折りされたヘッダー部裏側の挿入口３より大台紙２０から遊離された舌状係止片２１をその先端部が挿通口４より突出するように挿入すると共に、挿通口４の縁部に舌状係止片２１の基端部が引っ掛かるまで商品収納ケース１０を真下方向に引き下げて、商品収納ケース１０を大台紙２０に吊り下げる。
【００２１】
この状態では、舌状係止片２１が二つ折の板状台紙２ａの間にあって表裏より挟持された状態となっており、よって、商品収納ケース１０をしっかりと大台紙２０に固定することができる。これにより、運搬時の振動等による収納ケース１０の横ぶれが防止されて常に整然とした陳列状態を保持することができると共に、既述した横ぶれによる舌状係止片２１の損傷も防止することができる。
加えて、折り曲げにより、山状の切り込みＡが挿通口４の後縁部に支持片６を形成し、この支持片６が挿入された舌状係止片２１を背後より支えるため、商品収納ケース１０は、より確実に大台紙２０に固定されることになる。
【００２２】
また、同時に、舌状係止片２１の括れ２２が挿通口４の両端縁に係合するため、大台紙２０に取り付けた商品収納ケース１０の乱れや不用意な外れが防止される。
尚、図３に示すように、大台紙２０の舌状係止片２１を形成する切り込みＢの基端部Ｂ１を円弧状に形成しておくと、舌状係止片２１をヘッダー部２の各通口に挿入した時に切り込みＢの基端部Ｂ１に作用する力を緩和することができ、その基端部Ｂ１周辺の剪断を防止することができる。
【００２３】
一方、販売のために大台紙２０に吊り下げた商品収納ケース１０の一つを取り外す場合は、商品収納ケース１０をそのまま手で持ち上げれば、簡単に取り外すことができる。
【００２４】
以上、本発明の実施形態では、商品収納ケース１０のヘッダー部２に設けた挿入口３は、二枚重ねの板状台紙を貫く貫通孔としたが、これは、本発明の商品収納ケース１０を、図６で示した従来公知の吊り下げ機構にも適用できるようにしたものである。中央の膨出部３ａは従来通りフックによる吊り下げを行う場合の引っ掛け孔として利用する。
【００２５】
従って、本発明が提唱する吊り下げを行うのであれば、前記挿入口３が、二つ折りされた板状台紙２ａの少なくとも裏側の台紙部分に形成されていれば良い。
【００２６】
【発明の効果】
以上説明したように、請求項１または請求項３に記載の本発明によれば、板状台紙を二つ折りして成るヘッダー部の幅方向の略中央を欠切して舌状係止片の挿入口とすると共に、挿入口に対応する折曲線上の部位に切り込みを設けて舌状係止片の挿通口としたので、大台紙の舌状係止片を板状台紙の挿入口より挿入し、挿通口側に引き出すと、舌状係止片は二つ折りされた板状台紙の間に挟持された状態となり、よって、商品収納ケースはしっかりと大台紙に固定される。これにより、大台紙に吊り下げた商品収納ケースの横ぶれを防止して常に整然とした陳列状態を保持することができると共に、既述した横ぶれによる舌状係止片の損傷も防止することができる。
【００２７】
また、請求項２に記載の本発明によれば、上記切り込みは、下端部を折曲線に合致させた山状としたので、板状台紙を二つ折りにすると山状の切り込みが挿通口の縁部に支持片を形成し、挿入された舌状係止片を背後より支えるため、商品収納ケースはより確実に固定されるようになる。
【００２８】
また、請求項４に記載の本発明によれば、舌状係止片の側部に、挿通口に係合する括れを設けたので、舌状係止片の括れ部分が挿通口の両端縁に係合し、商品収納ケースの配列の乱れや不用意な外れを防止することができる。
【図面の簡単な説明】
【図１】本発明に係る商品収納ケースの斜視図。
【図２】同、商品収納ケースの展開図。
【図３】同、商品収納ケースを大台紙に吊り下げる時の状態を示す斜視図。
【図４】同、商品収納ケースを大台紙に吊り下げた時の状態を示す縦断面図。
【図５】従来の商品収納ケースの正面図。
【図６】同、商品収納ケースの引っ掛け側の構造を示す図。
【符号の説明】
２    ヘッダー部
２ａ  板状台紙
３    挿入口
４    挿通口
５    折曲線
１０    商品収納ケース
２０    大台紙（物品陳列用台紙）
２１    舌状係止片
２２    括れ
Ａ、Ｂ  切り込み
【図１】
0003922060.tif 000002
【図２】
0003922060.tif 000003
【図３】
0003922060.tif 000004
【図４】
0003922060.tif 000005
【図５】
0003922060.tif 000006
【図６】
0003922060.tif 000007